(57)【特許請求の範囲】
【請求項１】
上ケースと下ケースとを抱き合わせ構造にしてケース体を構成した電子機器において、
前記上ケースに装着された電気的供給が必要な上ケース取付部材と、
前記下ケースに装着された電気的供給が必要な下ケース取付部材と、
前記上ケース取付部材に設けられ、前記下ケース取付部材への電気的接続をする接続部材としての接続ケーブルと、
前記下ケース取付部材に設けられ、前記上ケース取付部材への電気的接続をする接続部材と、
前記両接続部材の結合作業を補助するための接続補助部材と、
前記下ケースの底面において当該下ケース側の前記接続部材の近傍に開けられた開口部と、からなり、
前記接続補助部材は上ケース側に設けられ前記開口部に向かって立設された立設片であって、かつ、前記接続ケーブルを該上ケースから前記開口部側に露出して保持するものであり、
上ケースと下ケースを抱き合わせ結合した後で、前記開口部から前記接続補助部材を介して、前記上ケースの前記接続ケーブルと下ケースの接続部材とを電気的接続するようにしたことを特徴とする電子機器。
【発明の詳細な説明】
【０００１】
【発明の属する技術分野】
本発明は、上ケースと下ケースとを抱き合わせ構造にしてケース体を構成するとともに、上ケース側の回路基板等の上ケース取付部材と下ケース側の回路基板等の下ケース取付部材とを接続するようにした電子機器に関する。
【０００２】
【従来の技術】
従来、上記のような電子機器として電子鍵盤楽器がある。電子鍵盤楽器の上ケースには、パネル面の操作スイッチや表示器等を配設するための上側回路基板が取り付けられている。また、下ケースには、メイン制御回路、音源回路あるいは入出力回路などを構成する下側回路基板が取り付けられている。そして、上側回路基板と下側回路基板とは接続ケーブルで接続されている。
【０００３】
このような電子鍵盤楽器の組立時には、上ケース側と下ケース側をそれぞれ個別に組み立て、上側回路基板と下側回路基板とを接続ケーブルで接続し、その後、上ケースを裏返しにして作業台に載置し、その上に下ケースをかぶせて下ケース側からネジ止め等を行い、上ケースと下ケースとを組み付ける。また、補修点検などで分解する場合には、上ケース側を下にして作業台に載置し、下ケース側からネジを外して、下ケースを上ケースから分離する。
【０００４】
【発明が解決しようとする課題】
しかし、上側回路基板と下側回路基板とを接続する際には、上ケースと下ケースを並べて接続ケーブルで接続するが、その後、上ケースの上に下ケースを載置する作業を容易にするためには接続ケーブルを長くする必要がある。特に、サイズの大きな電子鍵盤楽器（７６鍵以上の楽器等）では、上ケース、下ケース共に重量があるので組立作業も大がかりになり、接続ケーブルに充分な長さを必要としていた。例えば、接続ケーブルの長さが足りないと、下ケースを移動している際に接続ケーブルを引っ張ってしまうことがあり、重量の重い下ケース及び上ケースの慣性により容易に切断されてしまう。
【０００５】
しかし、接続ケーブルが長いと、下ケースの取り付けの際にも接続ケーブルをケース本体内に注意して収納する必要なあり、作業に手間取るという問題があった。また、補修点検時に下ケースを上ケースから外すときは、同時に接続ケーブルを引き出す必要があるが、接続ケーブルが他の部位に絡まったりしないように、あるいは接続ケーブルに張力を与えないように注意する必要があり、作業に手間取るという問題があった。なお、接続ケーブルは回路基板同士を接続するものとは限らず、上ケースと下ケースにそれぞれ設けられた内蔵電子機器と回路基板や内蔵電子機器同士（これらを「上ケース取付部材」及び「下ケース取付部材」という。）を接続するような場合にも同様である。
【０００６】
本発明は、上ケースと下ケースとを抱き合わせ構造にしてケース体を構成するとともに、上ケース側の上ケース取付部材と下ケース側の下ケース取付部材とを接続するようにした電子機器において、上ケースと下ケースの組み付け作業あるいは補修点検作業を容易にすることを課題とする。
【０００７】
【課題を解決するための手段】
本発明の請求項１の電子機器は、上ケースと下ケースとを抱き合わせ構造にしてケース体を構成した電子機器において、前記上ケースに装着された電気的供給が必要な上ケース取付部材と、前記下ケースに装着された電気的供給が必要な下ケース取付部材と、前記上ケース取付部材に設けられ、前記下ケース取付部材への電気的接続をする接続部材としての接続ケーブルと、前記下ケース取付部材に設けられ、前記上ケース取付部材への電気的接続をする接続部材と、前記両接続部材の結合作業を補助するための接続補助部材と、前記下ケースの底面において当該下ケース側の前記接続部材の近傍に開けられた開口部と、からなり、前記接続補助部材は上ケース側に設けられ前記開口部に向かって立設された立設片であって、かつ、前記接続ケーブルを該上ケースから前記開口部側に露出して保持するものであり、上ケースと下ケースを抱き合わせ結合した後で、前記開口部から前記接続補助部材を介して、前記上ケースの前記接続ケーブルと下ケースの接続部材とを電気的接続するようにしたことを特徴とする。
【０００８】
なお、「上ケース取付部材」及び「下ケース取付部材」とは、前述のように「内蔵電子機器」や「回路基板」等である。また、上ケース側及び下ケース側の両接続部材とは、例えば、一方は回路基板に固着された「コネクタ」、他方はこの「コネクタ」に接続する他の回路基板から引き出された接続ケーブルの「端子」（コネクタの有無を問わない。）等である。
【０００９】
上記のように構成された請求項１の電子機器によれば、開口部を介してコネクタ等の接続部材と接続ケーブルの接続及び取り外しができるので、組立時には、上ケースと下ケースを抱き合わせた後、開口部を介してコネクタ等と接続ケーブルを接続すれはよいし、分解時には、コネクタ等と接続ケーブルを開口部を介して取り外した後で上ケースと下ケースを分離すればよい。したがって、接続ケーブルの長さを必要最小限にでき、組立作業、補修点検作業がきわめて容易になる。
【００１１】
また、下ケースに開口部が開けられており、接続補助部材は上ケースのと接続ケーブル（当該開口部が開けられていない方のケースの接続部材）を、下ケースの開口部近傍において保持しており、さらに下ケース側の接続部材はこの開口の近傍にあるので、該接続補助部材で保持された上ケース側の接続ケーブルを下ケース側の接続部材に接続するものとして、容易に確認することができ、ひいては組立作業がさらに容易になる。また、分解時にも切り離した接続部材を接続補助部材で保持しておくことができるので、作業が容易になる。
【００１２】
なお、上記開口部は、接続部材の配線接続後に蓋によって閉口するとよい。
【００１３】
また、上記接続補助部材は、上記開口部に向かって内側から立設されたフレームの立設片により形成され、該立設片にて上記接続ケーブルを摺動自在に保持し、接続部材の接続時にこの立設片にて接続ケーブルをガイドして、接続を助成するようにしてもよい。これにより、接続作業が容易になる。また、この立設片による接続ケーブルの保持方法は、紐やバンド等を立設片に掛け回して適宜の力で接続ケーブルを締結してもよいし、立設片自体を水平断面Ｃ字状の形状としてその中に接続ケーブルを嵌合するようにしてもよい。
【００１４】
【発明の実施の形態】
以下、図面を参照して本発明の実施形態について説明する。図３は実施形態の鍵盤式電子楽器（電子機器）の要部斜視図である。図３は同電子楽器を裏返しにした状態を示しており、該電子楽器のケース体は、合成樹脂製の上ケース１と下ケース２とを抱き合わせ構造にして構成されている。下ケース２の底面には、第１の開口部１０と第２の開口部２０とが形成されており、この第１の開口部１０及び第２の開口部２０には、各開口に整合する形状の蓋１０Ａ，２０Ａがそれぞれ填め込まれる。上ケース１及び下ケース２内には後述のシールド部材が配設されているが、蓋１０Ａ，２０Ａの裏面には、開口部１０，２０に対応するシールド部材の開口部を遮蔽するための薄鉄板またはアルミ板等のシールド板１０Ａ−１，２０Ａ−１がそれぞれ取り付けられている。なお、下ケース２において、開口部１０，２０よりも前面側（演奏者側、以下同様）には、上ケース１の図には表れていないパネル面側に露出される鍵盤装置の固定部をなす奥部３０が形成されている。
【００１５】
図１は上ケース１と下ケース２を分離した状態をその概略構造とともに示す断面図、図２は上ケース１と下ケース２の組み付け状態をその概略構造とともに示す断面図である。図１及び図２は図３のＡ−Ａ矢視断面に対応しており、第１の開口部１０の近傍を示している。また、図４は図３のＢ−Ｂ矢視断面図である。なお、図１及び図２において電子楽器の前面側（図の左側）は図示を省略してある。
【００１６】
上ケース１の内部には、パネル面１Ａに配置される図示しない操作スイッチや表示器の信号処理等を行う上側回路基板（上ケース取付部材）１１がボス１ａ，１ａにおいてネジ止めされている。また、上ケース１の内部の上側回路基板１１より内側（下ケース２側）にはシールド部材１２が配設されている。上側回路基板１１上の端子１１ａには可撓性を有するフラットケーブルからなる接続ケーブル（接続部材）１３が接続され、この接続ケーブル１３の他方の端部には導電部材を露出することにより接点端子部１３ａが形成されている。接続ケーブル１３は、その接点端子部１３ａの近傍において、シールド部材１２に形成された立設片（接続補助部材）１２１にバンド１２１ａにより保持されている。
【００１７】
下ケース２の内部には、メイン制御回路、音源回路あるいは入出力回路などを構成する下側回路基板（下ケース取付部材）２１と、シールド部材２２が配設されている。下側回路基板２１には上側回路基板１１と電気的に接続するために、接続ケーブル１３を挿入接続するためのコネクタ（接続部材）２１ａが取り付けられている。
【００１８】
各シールド部材１２，２２は薄鉄板またはアルミ板のプレス加工等により形成されており、それぞれ、矩形の底面と該底面を囲う４側面とを有する略直方体空間を内包する箱形の形状とされている。この各シールド部材１２，２２の両底面は、対向形状がほぼ同じになっている。また、４側面の端部周囲には該側面と略直角に外周に延設されたフランジ１２ａ，２２ａを有している。下ケース２は、鍵盤装置を固定するための奥部３０より後方側（演奏者と反対側）に、シールド部材２２と略同形状の収容部２Ａを有しており、シールド部材２２はこの収容部２Ａ内に嵌合配設されている。そして、シールド部材２２はそのフランジ２２ａにおいてネジ６，６により下ケース２に固定されている。また、下側回路基板２１は一端がシールド部材２２のフランジ２２ａにおいてネジ６により共締めされている。また、下ケース２側のシールド部材２２にはフランジ２２ａと反対側（内側）に切起し形成等にて爪２２ｂ（図１，図２）が延設されている。この爪２２ｂは、図には表れていないが複数形成されており、この爪２２ｂにおいてネジ７により下側回路基板２１の他端がシールド部材２２に固定されている。
【００１９】
また、上ケース１側のシールド部材１２は、フランジ１２ａと上ケース１の足長のボス１ｂ，１ｂの先端においてネジ８，８によりネジ止めされており、上ケース１と下ケース２とを組み付けたとき、上ケース１のシールド部材１２と下ケース２のシールド部材２２はフランジ１２ａ，２２ａを接近させて、互いに対向して配置される。これにより、シールド部材１２，２２は対向し、下側回路基板２１をほぼ全体的に包むようになる。なお、フランジ１２ａ，２２ａの間には略２〜３ｍｍ程度の間隙を設けているが、フランジ１２ａ，２２ａにおいてネジ６，８と対向する部分にはこれらのネジ６，８の頭と干渉しないように切欠きが適宜設けられている。
【００２０】
下ケース２側のシールド部材２２には、前記開口部１０に対応する位置に開口部２２ａが形成されている。なお、図１及び図２において、シールド部材１２，２２の断面は太い実線で示し該断面における開口部２２ａは太い一点鎖線で示してある。このシールド部材２２の開口部２２ａ及び下ケース２の開口部１０は図３に示した蓋１０Ａにより閉じられるが、蓋１０Ａを外すことにより下ケース２の底側から開口部１０，２２ａを介して下側回路基板２１側に手を挿入することができる。なお、図４に示したように、開口部１０の周縁には蓋１０Ａの周縁を受ける段部１０ａが形成されており、蓋１０Ａはこの段部１０ａの位置で下ケース２にネジ止めされる。
【００２１】
図５は、シールド部材１２の立設片１２１の近傍を示す斜視図である。シールド部材１２の立設片１２１は、フランジ１２ａの一部を切り起こした状態で形成されており、下ケース２側のシールド部材２２には、そのフランジ２２ａ及び側面部を切り起こすことにより、立設片１２１が収まる切欠き部２２１が形成されている。これにより、図５に一点鎖線で示したように、シールド部材１２，２２を対向させたとき（組み付けたとき）、立設片１２１の外側にはシールド部材２２のフランジ２２ａの一部に間隙Ｓが形成される。そして、立設片１２１に保持された接続ケーブル１３及び接点端子部１３ａはこの間隙Ｓに配置され、この接続ケーブル１３の一部及び接点端子部１３ａが、コネクタ２１ａの近傍において下側回路基板２１側に露出される。
【００２２】
接続ケーブル１３を立設片１２１に固定しているバンド１２１ａは、例えば電化製品のケーブル等を纏めるために用いられる締結後に逆戻りしないような締結バンド等であり、接続ケーブル１３は立設片１２１に対して適宜の力で締結されている。また、図１、図４に示したように、接続ケーブル１３は上ケース１側においてある程度弛ませて配設されている。したがって、接続ケーブル１３を引っ張ることで、この接続ケーブル１３は立設片１２１から下側回路基板２１側に引き出すことができ、その接点端子部１３ａをコネクタ２１ａに挿入接続することができる。
【００２３】
図６は下ケース２側から見た第２の開口部２０の近傍を示す斜視図であり、この第２の開口部２０内には、上ケース１に取り付けられた上側回路基板（上ケース取付部材）１１′と、下ケース２に取り付けられた下側回路基板（下ケース取付部材）２１′とがそれぞれ配設されている。上側回路基板１１′には接続ケーブル（接続部材）１３′が接続され、この接続ケーブル１３′の他方の端部には雌コネクタ１３ａ′が取り付けられている。また、上側回路基板１１′にはゴムやプラスチック等の弾性部材で形成されたホルダ（接続補助部材）１１１が取り付けられており、接続ケーブル１３′はこのホルダ１１１に挟まれて保持されている。さらに、下側回路基板２１′には上側回路基板１１′と電気的に接続するために、接続ケーブル１３′の雌コネクタ１３ａ′を嵌合接続するための雄コネクタ（接続部材）２１ａ′が取り付けられている。なお、この開口部２０の内部においても、前記シールド部材１２，２２が配設されており、上側回路基板１１′及び下側回路基板２１′はこのシールド部材１２，２２内に収容されている。
【００２４】
以上のように、ホルダ１１１に保持された接続ケーブル１３′は、その雌コネクタ１３ａ′が第２の開口部２０及び雄コネクタ２１ａ′の近傍において下側回路基板２１′側に露出されており、この雌コネクタ１３ａ′を下側回路基板２１′の雄コネクタ２１ａ′に嵌合接続することができる。なお、ホルダ１１１は接続ケーブル１３′を適宜の力で挟持するようになっており、接続ケーブル１３′を引っ張ることで、接続し易いように引き出す長さを適宜調節することもできる。
【００２５】
以上のように、この実施形態の電子楽器は、請求項１に対応して、上ケース１と下ケース２とを抱き合わせ構造にしてケース体を構成した電子機器において、上ケース１に装着された電気的供給が必要な上側回路回路基板１１（１１′）（上ケース取付部材）と、下ケース２に装着された電気的供給が必要な下側回路基板２１（２１′）（下ケース取付部材）と、上側回路基板１１（１１′）に設けられ、下側回路基板２１（２１′）への電気的接続をする接続ケーブル１３（１３′）（接続部材）と、下側回路基板２１（２１′）に設けられ、上側回路基板１１（１１′）への電気的接続をするコネクタ２１ａ（雄コネクタ２１ａ′）（接続部材）と、接続ケーブル１３（１３′）とコネクタ２１ａ（雄コネクタ２１ａ′）（両接続部材）の結合作業を補助するための立設片１２１（ホルダ１１１）（接続補助部材）と、下ケース２の底面において当該下ケース２側のコネクタ２１ａ（雄コネクタ２１ａ′）の近傍に開けられた開口部１０（２０）と、からなり、この立設片１２１（ホルダ１１１）は、開口部１０（２０）近傍において当該開口部が開けられていない方の上ケース１の接続ケーブル１３（１３′）を保持するものであり、上ケース１と下ケース２を抱き合わせ結合した後で、開口部１０（２０）から立設片１２１（ホルダ１１１）を介して、上ケース１のコネクタ２１ａ（雄コネクタ２１ａ′）と下ケース２の接続ケーブル１３（１３′）とを電気的接続をするようになっている。
【００２７】
以上の構成により、当該電子楽器の組立時には、上ケース１側と下ケース２側をそれぞれ組み立て、上ケース１側を裏返しにして作業台等に載置し、その上に下ケース２側を被せる。なお、下ケース２の蓋１０Ａ，２０Ａは外した状態である。次に、下ケース２の開口部１０かケース内部に手を入れ、立設片１２１に保持されている接続ケーブル１３を引き出し、その接点端子部１３ａを下側回路基板２１のコネクタ２１ａに挿入接続する。また、開口２０からケース内部に手を入れ、接続ケーブル１３′の雌コネクタ１３ａ′を下側回路基板２１′の雄コネクタ２１ａ′に嵌合接続する。そして、蓋１０Ａを第１の開口部１０に填め込んでネジ止めし、蓋２０Ａを第２の開口部２０に填め込んでネジ止めし、さらに、下ケース２を上ケース１にネジ止めする。したがって、下ケース２の移動時に接続ケーブル１３，１３′の存在を何ら気にすることなく、下ケース２を上ケース１に載置することができるので、組み付ける作業がきわめて容易になる。また、分解時には、電子楽器を裏返した状態で作業台等に載置し、下ケース２から蓋１０Ａ，２０Ａを外して接続ケーブル１３，１３′を外した後、下ケース２を上ケース１から外せばよいので、分解作業もきわめて容易になる。
【００２８】
また、下側回路基板１１、下側回路基板１１′及び上側回路基板２１′はマイクロコンピュータ等を搭載した高周波利用電子機器用の回路基板であるが、これらの回路基板はシールド部材１２，２２内に収容されるので、これら回路基板から高周波電波の電波漏れを防止することができる。なお、両シールド部材１２，２２のフランジ１２ａ，２２ａの間には間隙があるが、フランジ１２ａ，２２ａはある程度の幅があるので、回折の少ない高周波電波の漏れは殆ど生じない。さらに、シールド部材１２，２２は、上ケース１及び下ケース２にそれぞれ別個に取り付けておくことができ、上ケース１と下ケース２との組み付け作業と同時に、両シールド部材１２，２２が基板を包むようにできるので、組立作業も容易になる。
【００２９】
以上の実施形態では、第１の開口部１０の近傍の接続ケーブル１３は、その先端が導電部材を露出した接点端子部１３ａの場合であるが、コネクタが取り付けられたものでもよいことはいうまでもない。また、接続部材としての接続ケーブル１３，１３′は、フラットケーブル、線状ケーブル、あるいはその他のケーブルなど、その形態はどのようなものでもよい。
【００３０】
また、立設片１２１に対してバンド１２１ａで接続ケーブル１３を保持するようにしているが、例えば図７(A) のように水平断面Ｃ字状（縦長）の立設片１２１′を用い、接続ケーブル１３（フラットケーブル）の幅方向の弾性を利用して立設片１３を奥部１２１ａ′内に填め込むように配設することで、この接続ケーブル１３を保持するようにしてもよい。また、図７(B) に示したように線状の接続ケーブ１３″を用いる場合は、立設片１２１″として水平断面Ｃ字状のものを用いて、その溝内に接続ケーブ１３″を填め込んで保持するようにしてもよい。さらに、同様に断面コ字状のものを用いてもよい。
【００３１】
また、実施形態では、上ケースに装着された電気的供給が必要な上ケース取付部材として上側回路基板、下ケースに装着された電気的供給が必要な下ケース取付部材として下側回路基板、にそれぞれ適用した例について説明したが、この上ケース取付部材及び下ケース取付部材は、例えばハードディスク装置、ＣＤ−Ｒ装置など他の内蔵電気機器であってもよい。すなわち、これらの機器機器と回路基板とを接続するような構造にも適用できることはいうまでもない。
【００３２】
また、実施形態では電子鍵盤楽器を例に説明したが、本発明は他の各種電子機器に適用できることはいうまでもない。
【００３３】
【発明の効果】
請求項１の電子機器によれば、開口部を介してコネクタ等の接続部材と接続ケーブルの接続及び取り外しができるので、上ケースと下ケースの組立時には開口部を介して接続すれはよいし、分解時には、接続部材と接続ケーブルを開口部を介して取り外した後で上ケースと下ケースを分離すればよので、接続ケーブル等の長さを必要最小限にでき、組立作業、補修点検作業がきわめて容易になる。さらに、接続補助部材で保持される接続ケーブルが他の接続部材の近傍に配置されるので、接続すべき両接続部材を容易に確認することができ、組立作業がさらに容易になるとともに、分解時にも切り離した接続ケーブルを接続補助部材で保持しておくことができるので、作業が容易になる。
【図面の簡単な説明】
【図１】本発明の実施形態の鍵盤式電子楽器における上ケースと下ケースを分離した状態をその概略構造とともに示す断面図である。
【図２】本発明の実施形態の鍵盤式電子楽器における上ケースと下ケースの組み付け状態をその概略構造とともに示す断面図である。
【図３】本発明の実施形態の鍵盤式電子楽器の要部斜視図である。
【図４】図３のＢ−Ｂ矢視断面図である。
【図５】本発明の実施形態におけるシールド部材の立設片の近傍を示す斜視図である。
【図６】本発明の実施形態における下ケース側から見た第２の開口部の近傍を示す斜視図である。
【図７】本発明の実施形態における立設片の他の例を説明する図である。
【符号の説明】
１…上ケース、２…下ケース、１０…第１の開口部、２０…第２の開口部、１１，１１′…上側回路基板（上ケース取付部材）、１３，１３′…接続ケーブル（接続部材）、１２１…立設片（接続補助部材）、２１，２１′…下側回路基板（下ケース取付部材）、２１ａ…コネクタ（接続部材）、２１ａ′…雄コネクタ（接続部材）
【図１】
0003821022.tif 000002
【図２】
0003821022.tif 000003
【図３】
0003821022.tif 000004
【図４】
0003821022.tif 000005
【図５】
0003821022.tif 000006
【図６】
0003821022.tif 000007
【図７】
0003821022.tif 000008